(57)【要約】【課題】表示する映像を、高コントラスト化された映像と全体が明るい映像とで適切に切り替えることが可能な技術を提供する。【解決手段】バックライトの消費電力値を一定に近付けるために、表示映像の特徴量が所定の値よりも大きい場合のバックライトの最大発光輝度を、特徴量が所定の値よりも小さい場合のバックライトの最大発光輝度よりも小さく設定する第１の調整モードと、バックライトの最大発光輝度を、表示映像の特徴量が所定の値以下の場合は第１の調整モードより高くし、特徴量が所定の値よりも大きい場合は第１の調整モードより低くする第２の調整モードとを備え、表示映像に関する情報を参照して調整モードを切り替える表示装置（１）。【選択図】図１
2018041067.tif 000002
【特許請求の範囲】
【請求項１】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替えることを特徴とする表示装置。
【請求項２】
上記表示映像に関する情報とは、上記表示映像の属性を示す情報であることを特徴とする請求項１に記載の表示装置。
【請求項３】
上記表示映像に関する情報とは、上記表示映像のある区間において、上記特徴量が所定の値以下となる表示映像が含まれているか否かを示す情報であることを特徴とする請求項１または２に記載の表示装置。
【請求項４】
上記表示映像に関する情報とは、上記特徴量が所定の値となる表示映像が出現するタイミングを事前に示す情報であることを特徴とする請求項１〜３の何れか１項に記載の表示装置。
【請求項５】
上記表示映像に関する情報とは、上記表示映像の全体における、上記特徴量の分布を示す情報であることを特徴とする請求項１〜４の何れか１項に記載の表示装置。
【請求項６】
上記表示映像に関する情報とは、上記表示映像のある区間における、上記特徴量の分布を示す情報であることを特徴とする請求項１〜４の何れか１項に記載の表示装置。
【請求項７】
上記表示映像を表す映像信号のメタデータを取得する取得部をさらに備え、
上記光量調整部は、上記メタデータに含まれる識別子であって、
上記表示映像における部分区間の始点を示す識別子、
上記部分区間の終点を示す識別子、および
上記部分区間における上記特徴量の平均を示す識別子、
を参照して上記特徴量の分布を特定したうえで、調整モードを切り替える請求項５又は６に記載の表示装置。
【請求項８】
上記表示映像に関する情報を生成する生成部をさらに備えることを特徴とする請求項１〜４の何れか１項に記載の表示装置。
【請求項９】
上記生成部は、上記表示映像の特徴量を算出することにより、上記表示映像に関する情報を生成することを特徴とする請求項８に記載の表示装置。
【請求項１０】
上記調整モードの切り替え方法を選択させるメニューを表示することを特徴とする請求項１〜９の何れか１項に記載の表示装置。
【請求項１１】
上記特徴量は、上記表示映像のＡＰＬ（Average Picture Level）であることを特徴とする請求項１〜１０の何れか１項に記載の表示装置。
【請求項１２】
請求項１に記載の表示装置としてコンピュータを機能させるためのプログラムであって、上記光量調整部としてコンピュータを機能させるためのプログラム。
【請求項１３】
請求項１２に記載のプログラムを記録したコンピュータ読み取り可能な記録媒体。
【請求項１４】
請求項１〜１１の何れか１項に記載の表示装置を含むことを特徴とするテレビジョン受像機。
【請求項１５】
映像信号と、当該映像信号のメタデータとを送信する送信装置であって、
上記メタデータに、
上記映像信号が示す映像における部分区間の始点を示す識別子、
上記部分区間の終点を示す識別子、および
上記部分区間における特徴量の平均を示す識別子、
を含めたうえで送信することを特徴とする送信装置。
【発明の詳細な説明】
【技術分野】
【０００１】
本発明は、表示映像を表示する表示装置、当該表示装置としてコンピュータを機能させるためのプログラム、当該プログラムを記録した記録媒体、当該表示装置を含むテレビジョン受像機、および、映像信号を送信する送信装置に関する。
【背景技術】
【０００２】
液晶表示装置など、バックライトを用いた表示装置においては、バックライトを複数の領域に分割し、各領域の輝度を独立して調節する技術（しばしば、「ローカルディミング」と呼ばれる）が広く用いられている。
【０００３】
例えば、特許文献１には、複数の光源ブロックに区画され、光源ブロック毎の光源の輝度と、筐体内部または筐体外部の温度の少なくとも何れかの温度とに基づいて、光源ブロック毎の温度を推定する液晶表示装置が記載されている。特許文献１に記載の液晶表示装置は、推定した温度に基づき、輝度のバラツキを抑制するように輝度の設定値を補正する。
【先行技術文献】
【特許文献】
【０００４】
【特許文献１】特開２０１２−２３７９７２号公報（２０１２年１２月６日公開）
【発明の概要】
【発明が解決しようとする課題】
【０００５】
例えば、夜空の月を写した映像を表示する場合、夜空の部分を暗くし、月の部分を明るくした、高コントラスト化された映像が求められている。しかしながら、高コントラスト化された映像を表示する場合、光源の消費電力が高くなり、温度が上がってしまう。上述の特許文献１の技術では、温度に応じて輝度の設定値が変わってしまうため、高コントラスト化された映像を表示したい場合であっても、輝度が下がった映像が表示されてしまうという問題がある。
【０００６】
本発明は、前記の問題点に鑑みてなされたものであり、その目的は、高コントラスト化された映像を適切に表示することが可能な技術を提供することにある。
【課題を解決するための手段】
【０００７】
上記の課題を解決するために、本発明の一態様に係る表示装置は、バックライトを複数のエリアに分割し、各エリアの光量を表示映像に応じて調整する光量調整部を備え、上記光量調整部は、上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、上記特徴量が所定の値よりも小さい場合は、上記バックライトの最大発光輝度を上記第１の調整モードより高くし、上記特徴量が所定の値よりも大きい場合は、上記バックライトの最大発光輝度を上記第１の調整モードより低くする第２の調整モードと、を備え、上記表示映像に関する情報を参照して調整モードを切り替える。
【０００８】
また、上記の課題を解決するために、本発明の一態様に係る送信装置は、映像信号と、当該映像信号のメタデータとを送信する送信装置であって、上記メタデータに、上記映像信号が示す映像における部分区間の始点を示す識別子、上記部分区間の終点を示す識別子、および上記部分区間における特徴量の平均を示す識別子、を含めたうえで送信する。
【発明の効果】
【０００９】
本発明の一態様によれば、高コントラスト化された映像を適切に表示することができる。
【図面の簡単な説明】
【００１０】
【図１】本発明の実施形態１に係る表示装置の要部構成を示すブロック図である。
【図２】本発明の実施形態１に係る表示装置の外観を示す図である。
【図３】本発明の実施形態１における表示映像のＡＰＬとＬＥＤバックライトの最大発光輝度との関係を示すグラフである。
【図４】本発明の実施形態１における表示映像のＡＰＬとＬＥＤバックライトの消費電力値との関係を示すグラフである。
【図５】本発明の実施形態１に係る表示装置が実行する処理の流れの一例を示すフローチャートである。
【図６】本発明の実施形態１に係る表示装置が調整モードを切り替える方法の例を示す図である。
【図７】本発明の実施形態２に係る表示装置の要部構成を示すブロック図である。
【図８】本発明の実施形態２において付加情報を生成する方法の例を示す図である。
【図９】本発明の実施形態３におけるメニュー画面の例を示す図である。
【図１０】本発明の実施形態４における表示映像のＡＰＬの分布の例を示す図である。
【図１１】本発明の実施形態４における表示装置が調整モードを切り替える方法の例を示す図である。
【図１２】本発明の実施形態４における、送受信されるメタデータの例を示す図である。
【図１３】本発明の実施形態４における、メタデータに応じた、調整モードの切り替えの例を示す図である。
【発明を実施するための形態】
【００１１】
本明細書では、表示部として液晶パネルおよびＬＥＤバックライトを備える構成を用いているが、本発明の構成はこれに限定されない。本発明は、バックライトを複数のエリアに分割し、各エリアの光量を調整可能な表示装置であればよい。
【００１２】
〔実施形態１〕
以下、本発明の実施の形態について、図１〜図６に基づいて詳細に説明する。
【００１３】
（表示装置１）
図１は、実施形態１に係る表示装置１の要部構成を示すブロック図である。図１に示すように、表示装置１は、映像信号取得部１０、制御部２０、および表示部３０を備えている。表示装置１は、表示映像（以下、コンテンツと称する場合もある）を示す映像情報を含む映像信号を取得し、当該表示映像を表示する装置である。表示装置１は、表示部３０の表示領域（後述するＬＥＤバックライト３２）を複数のエリアに分割し、各エリアの光量を表示映像に応じて調整する機能（いわゆる、ローカルディミング機能）を備えている。そのため、表示装置１は、例えば、各エリアのうち、暗い映像を表示するエリアの光量を少なくし、明るい映像を表示するエリアの光量を多くすることにより、高コントラスト化した表示映像を表示することができる。
【００１４】
また、表示装置１は、最大発光輝度が異なる複数の調整モードを備えている。表示装置１は、当該調整モードを表示映像に関する情報を参照することによって切り替える機能を備えている。表示装置１が調整モードを切り替える処理の詳細については、後述する。
【００１５】
図２は、表示装置１の外観を示す図である。図２に示すように、表示装置１は、図２に示すように、チューナ（不図示）を備え、放送番組を表示するテレビジョン受像機２（図２の（ａ））、パーソナルコンピュータ３（図２の（ｂ））、または携帯可能な情報端末装置４（図２の（ｃ））の一部として実現されるがこれに限定されるものではない。
【００１６】
映像信号取得部１０は、表示装置１の表示映像を示す映像情報が含まれる映像信号を取得する。映像信号取得部１０が映像信号を取得する方法は特に限定されず、例えば、ネットワーク経由で取得した映像信号、放送波経由で取得した映像信号、外部機器（例えば、ＤＶＤ（Digital Versatile Disk）プレーヤ、Blu-ray（登録商標）プレーヤ、カメラ、カメラ内蔵の携帯端末など）経由で取得した映像信号が挙げられる。また、表示装置１が備える記憶部（不図示）に格納されている映像に基づいた映像信号を取得する構成であってもよい。表示装置１が備える記憶部に格納されている映像の例として、予め格納されている映像、圧縮されたデータとして取得し、取得後に記憶部に展開した映像、表示装置１がカメラを備える場合、当該カメラによって撮影された映像、などが挙げられる。
【００１７】
制御部２０は、表示装置１が備える各部を統括的に制御する演算装置である。制御部２０の詳細については、後述する。
【００１８】
表示部３０は、図１に示すように、液晶パネル３１およびＬＥＤバックライト３２を備えている。表示部３０は、液晶パネル３１およびＬＥＤバックライト３２を駆動することにより表示映像を表示する。
【００１９】
（制御部２０）
制御部２０は、図１に示すように、付加情報取得部２１、光量調整部２２、および表示制御部２３としても機能する。
【００２０】
付加情報取得部２１は、映像信号取得部１０が取得した映像信号に含まれている付加情報を取得する。付加情報の例として、表示映像の属性を示す情報（例えば、ジャンルを示すメタデータ）（以下、属性情報と称する場合もある）、コンテンツのある区間（例えば、チャプタ）において、表示画像の特徴量が所定の値よりも小さい表示映像が含まれているか否かを示す情報（以下、チャプタ情報と称する場合もある）、および特徴量が所定の値より小さい表示映像が出現するタイミングを事前に示す情報（以下、タイミング情報と称する場合もある）などが挙げられる。
表示画像の特徴量の例としては、ＡＰＬ（Average Picture Level）、最大輝度と最小輝度との差などが挙げられる。
【００２１】
光量調整部２２は、表示領域の各エリアの光量を表示映像に応じて調整する。また、光量調整部２２は、付加情報を参照し、調整モードを切り替える。
【００２２】
表示制御部２３は、表示部３０の液晶パネル３１およびＬＥＤバックライト３２を駆動し、光量調整部２２が調整した光量および調整モードにて、表示映像を表示させる。
【００２３】
（調整モード）
図３は、実施形態１における表示映像のＡＰＬとＬＥＤバックライト３２の最大発光輝度との関係を示すグラフである。本明細書では、表示装置１が面輝度モード（第１の調整モード）およびピーク輝度モード（第２の調整モード）を備える場合を例に挙げて説明する。
【００２４】
（面輝度モード）
面輝度モードは、ＬＥＤバックライトの消費電力値に相関する、表示映像の特徴量であるＡＰＬ（Average Picture Level）が所定の値よりも小さいか、所定の値よりも大きいかに応じて、ＬＥＤバックライト３２の最大発光輝度が変化する調整モードである。また、面輝度モードは、ＬＥＤバックライト３２の消費電力値を一定に近付けるために、最大発光輝度を変化させる調整モードである。具体的には、面輝度モードでは、表示映像のＡＰＬが２０％〜５０％の場合は、ＬＥＤバックライト３２の最大発光輝度が約９００［ｃｄ／ｍ２］と高くなり、ＡＰＬが５０％を超えると、ＬＥＤバックライト３２の最大発光輝度が約７８０［ｃｄ／ｍ２］と低くなる。面輝度モードにおける最大発光輝度は、ＬＥＤバックライト３２の消費電力値が所定の値よりも小さくなるように設定されている。このように、面輝度モードとは、ＬＥＤバックライト３２の消費電力値を一定に近付けるために、ＡＰＬが所定の値よりも大きい場合のＬＥＤバックライト３２の最大発光輝度をＡＰＬが所定の値よりも小さい場合のＬＥＤバックライト３２の最大発光輝度よりも小さく設定する調整モードである。この構成により、表示装置１は面輝度モードでは、表示映像のＡＰＬに関わらず、ＬＥＤバックライト３２のＬＥＤおよび半田面の温度を、ＬＥＤの破壊または半田クラックが発生する可能性のある温度（以下、制限温度と称する）より低い温度で保つことができる。
【００２５】
（ピーク輝度モード）
ピーク輝度モードは、面輝度モードと同様、ＡＰＬが所定の値よりも小さいか、所定の値よりも大きいかに応じて、ＬＥＤバックライト３２の最大発光輝度が変化するモードである。ピーク輝度モードでは、ＡＰＬが所定の値よりも小さい場合は、ＬＥＤバックライト３２の最大発光輝度を面輝度モードより高くし、ＡＰＬが所定の値よりも大きい場合は、ＬＥＤバックライト３２の最大発光輝度を面輝度モードより低くする。具体的には、ピーク輝度モードでは、ＡＰＬが２０％〜５０の場合は、ＬＥＤバックライト３２の最大発光輝度が約１１００［ｃｄ／ｍ２］と、面輝度モードより高くなり、ＡＰＬが５０％を超えると、ＬＥＤバックライト３２の最大発光輝度が約５５０［ｃｄ／ｍ２］と、面輝度モードより低くなる。このように、ピーク輝度モードでは、ＡＰＬが高い場合、面輝度モードと比べてＬＥＤバックライト３２のＬＥＤおよび半田面の温度を低く保つことができる。そのため、ピーク輝度モードでは、ＡＰＬが低い場合、面輝度モードと比べてＬＥＤバックライト３２のＬＥＤおよび半田面の温度は高くなるものの、ＬＥＤバックライト３２のＬＥＤおよび半田面の温度が制限温度に達するまでの時間を長くすることができる。
【００２６】
面輝度モードとピーク輝度モードとを比較すると、以下のようになる。
・ＡＰＬが低い表示映像の場合、ピーク輝度モードは面輝度モードに比べて高コントラスト化した表示映像を、表示装置１は表示することができる。
・ＡＰＬが高い表示映像の場合、面輝度モードはピーク輝度モードに比べて明るい表示映像を、表示装置１は表示することができる。
【００２７】
（消費電力値）
図４は、実施形態１における表示映像のＡＰＬとＬＥＤバックライト３２の消費電力値との関係を示すグラフである。
【００２８】
上述したように、面輝度モードでは、ＬＥＤバックライト３２の消費電力値を一定に近付けるために最大発光輝度が設定されているため、ＡＰＬの値に関わらずほぼ一定の消費電力値となっている。一方、ピーク輝度モードでは、ＡＰＬが低い表示映像の場合、ＬＥＤバックライト３２の最大発光輝度は面輝度モードの場合に比べて低いため、消費電力値も、面輝度モードの場合に比べて低くなっている。一方、ピーク輝度モードでは、ＡＰＬが高い表示映像の場合、ＬＥＤバックライト３２の最大発光輝度は面輝度モードの場合に比べて高いため、消費電力値も、面輝度モードの場合に比べて高くなっている。
【００２９】
（ハイブリッド）
表示装置１は、面輝度モードとピーク輝度モードとを切り替えることにより、ＡＰＬが低い表示映像の場合は、ピーク輝度モードのように高コントラスト化した表示映像を表示することができ、ＡＰＬが高い表示映像の場合は、面輝度モードのように明るい表示映像を表示することができる。この場合、表示装置１の表示映像のＡＰＬとＬＥＤバックライト３２の最大発光輝度との関係は、図３のハイブリッドで示す点線のようになる。
【００３０】
（調整モードを切り替える処理）
図５は、本実施形態に係る表示装置１が実行する処理の流れの一例を示すフローチャートである。
【００３１】
（ステップＳ１）
映像信号取得部１０は、映像信号を取得する。
【００３２】
（ステップＳ２）
付加情報取得部２１は、映像信号取得部１０が取得した映像信号に含まれている付加情報を取得する。
【００３３】
（ステップＳ３）
光量調整部２２は、付加情報取得部が取得した付加情報を参照して、調整モードを切り替える。また、光量調整部２２は、映像信号取得部１０が取得した映像信号に含まれている映像情報に応じて、表示領域の各エリアの光量を調整する。
【００３４】
（ステップＳ４）
表示制御部２３は、映像信号取得部１０が取得した映像信号に含まれる映像情報が示す映像を、光量調整部２２が調整した光量にて、表示部３０に表示する。
【００３５】
（付加情報の例１）
図６は、本実施形態に係る表示装置１が調整モードを切り替える方法の例を示す図である。図６の（ａ）は、属性情報に応じて、表示装置１が調整モードを切り替える方法の例を示す図である。以下では、コンテンツのジャンルを示す属性情報を例に挙げて説明する。
【００３６】
光量調整部２２は、属性情報を参照し、調整モードを切り替える。具体的には、コンテンツのジャンルが「映画」、「ドキュメンタリー」などの場合は、光量調整部２２は調整モードをピーク輝度モードに切り替える。一方、コンテンツのジャンルが「ニュース」、「アニメ」などの場合は、光量調整部２２は調整モードを面輝度モードに切替える。
【００３７】
例えば、図６の（ａ）に示すように、ジャンルが「ニュース」のコンテンツ、ジャンルが「映画」のコンテンツ、ジャンルが「アニメ」のコンテンツを順に表示装置１に表示させる場合、光量調整部２２は、ジャンルが「映画」のコンテンツを表示する場合は、調整モードをピーク輝度モードに切り替える。また、光量調整部２２は、ジャンルが「ニュース」または「アニメ」の場合は、調整モードを面輝度モードに切り替える。この構成により、表示装置１は、画質が重要なコンテンツである映画、ドキュメンタリーなどの場合は、ピーク輝度モードに切り替えることによってメリハリのある表示映像を表示することができる。一方、表示装置１は、メリハリのある画質をあまり必要としないニュースやアニメの場合は、面輝度モードに切り替えることによって、ＡＰＬの値に関わらず明るい表示映像を表示することができる。したがって、表示装置１は、ジャンルに応じた画質の表示映像を表示することができる。
【００３８】
（付加情報の例２）
図６の（ｂ）は、チャプタ情報に応じて、表示装置１が調整モードを切り替える方法の例を示す図である。
【００３９】
光量調整部２２は、チャプタ情報を付加情報として参照し、調整モードを切り替える。具体的には、チャプタ情報が、ＡＰＬが所定の値（例えば５０％）よりも小さくなる表示映像がチャプタ内に含まれていることを示す場合、光量調整部２２は調整モードをピーク輝度モードに切り替える。一方、チャプタ情報が、ＡＰＬが所定の値よりも小さくなる表示映像がチャプタ内に含まれていないことを示す場合、光量調整部２２は調整モードを面輝度モードに切り替える。
【００４０】
例えば、図６の（ｂ）に示すように、３番目と５番目のチャプタに、ＡＰＬが所定の値よりも小さい表示映像（図６の（ｂ）における星印が、ＡＰＬが所定の値よりも小さくなる表示映像）が含まれていることを示すチャプタ情報を取得した場合、光量調整部２２は、３番目と５番目のチャプタを表示するときは調整モードをピーク輝度モードに切り替える。また、光量調整部２２は、１番目、２番目、および４番目のチャプタを表示する時は調整モードを面輝度モードに切り替える。この構成により、表示装置１は、１つのコンテンツ内であっても、ＡＰＬが低い表示映像を含むチャプタではメリハリのある表示映像、ＡＰＬが低い表示映像を含まないチャプタでは明るい表示映像を表示することができる。したがって、表示装置１は、１つのコンテンツ内においても、適切に高コントラスト化された表示映像を表示することができる。
【００４１】
また、チャプタ情報は、ＡＰＬが所定の値よりも小さく、かつ、所定の明るさ以上の輝度にて表示する表示映像がチャプタ内に含まれるか否かを示す情報であってもよい。所定の明るさ以上の輝度は、最大発光輝度を基準として規定する方法（例えば、最大発光輝度の８０％以上）、絶対的な輝度にて規定する方法（例えば、１０００［ｃｄ／ｍ２］以上）がある。この場合、光量調整部２２は、ＡＰＬが所定の値よりも小さくても、所定の明るさ以上の輝度にて表示する表示映像が含まれないチャプタ（例えば、全体的に暗い表示映像を含むチャプタ）では、面輝度モードに切り替える。そのため、表示装置１は、より適切な画質の表示映像を表示することができる。
【００４２】
（付加情報の例３）
図６の（ｃ）は、タイミング情報に応じて、表示装置１が調整モードを切り替える方法の例を示す図である。タイミング情報としては、（１）ＡＰＬが所定の値よりも小さい表示映像が出現するまでの時間（相対的な時間）を示す場合と、（２）コンテンツにおいて、ＡＰＬが所定の値よりも小さい表示映像が出現する時間（絶対的な時間）を示す場合とがある。本実施形態では、上記（１）の場合を例に挙げて説明する。また、タイミング情報を取得するタイミングは特に限定されず、例えば、所定の時間が経過したとき、コンテンツを再生したとき、などが挙げられる。
【００４３】
光量調整部２２は、タイミング情報を付加情報として参照し、調整モードを切り替える。具体的には、光量調整部２２は、タイミング情報が示す、ＡＰＬが所定の値よりも小さい表示映像が出現する時間に、ピーク輝度モードに切り替える。一方、光量調整部２２は、タイミング情報が示す、ＡＰＬが所定の値よりも小さい表示映像を表示する時間が経過すると、面輝度モードに切り替える。
【００４４】
例えば、図６の（ｃ）に示すように、時間ｔ１において取得したタイミング情報が、ＡＰＬが所定の値よりも小さい表示映像が時間ｔ２後に出現することを示す場合、光量調整部２２は、時間ｔ１＋時間ｔ２の時点でピーク輝度モードになるように切り替える。この場合、光量調整部２２は、図６の（ｃ）に示すように、時間ｔ１の時点からピーク輝度モードに切り替えることにより、ＬＥＤバックライト３２のＬＥＤおよび半田面の温度を下げてから、ＡＰＬが所定の値よりも小さい表示映像を表示することができる。そして、光量調整部２２は、時間ｔ１＋時間ｔ２の経過後、面輝度モードに切り替える。この構成により、表示装置１は、より適切に、ＡＰＬが低い表示映像をピーク輝度モードにて表示し、ＡＰＬが高い表示映像を面輝度モードにて表示することができる。また、表示装置１は、ＡＰＬが低い表示映像を表示する所定の期間前（例えば５分、１０分など）からピーク輝度モードに切り替えることにより、予めＬＥＤバックライト３２のＬＥＤおよび半田面の温度を下げることができる。そのため、表示装置１は、長時間、ピーク輝度モードにて表示映像を表示することができる。
【００４５】
また、上述したチャプタ情報と同様、タイミング情報も、ＡＰＬが所定の値よりも小さく、かつ、所定の明るさ以上の輝度にて表示する表示映像が出現するタイミングを事前に示す情報であってもよい。この構成により、表示装置１は、より適切な画質の表示映像を表示することができる。
【００４６】
このように、本実施形態に係る表示装置１は、ＬＥＤバックライト３２を複数のエリアに分割し、各エリアの光量を表示映像に応じて調整する光量調整部２２を備え、光量調整部２２は、面輝度モードとピーク輝度モードとを備え、付加情報を参照して調整モードを切り替える。この構成により、表示装置１は、ピーク輝度モードによって高コントラスト化された映像と、面輝度モードによって全体が明るい映像とを、付加情報を参照して切り替える。そのため、表示装置１は、ＡＰＬが低い映像、ＡＰＬが低くかつピークの輝度が高い映像などを、高コントラスト化して表示することができるので、高コントラスト化された映像を適切に表示することができる。
【００４７】
また、ピーク輝度モードとは、表示映像の特徴量であって、ＬＥＤバックライト３２の消費電力に相関する特徴量（例えば、ＡＰＬ）が所定の値よりも小さい場合は最大発光輝度が面輝度モードより高く、特徴量が所定の値より大きい場合は最大発光輝度を面輝度モードより低い調整モードである。換言すると、表示装置１は、ピーク輝度モードに切り替えると、ＡＰＬが高い表示映像の場合はＬＥＤバックライト３２のＬＥＤおよび半田の温度が面輝度モードより低く、ＡＰＬが低い表示映像の場合はＬＥＤバックライト３２のＬＥＤおよび半田の温度が面輝度モードより高くなる。この構成により、表示装置１は、ピーク輝度モード時において、ＡＰＬが高い表示映像を表示してＬＥＤバックライト３２のＬＥＤおよび半田の温度を低くしてから、ＬＥＤバックライト３２のＬＥＤおよび半田の温度が高くなる映像である、ＡＰＬが低い表示映像を表示することができる。そのため、表示装置１は、高コントラスト化された映像を適切に表示することができる。
【００４８】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００４９】
実施形態１では、付加情報取得部２１が映像信号取得部１０から付加情報を取得する構成について説明したが、本実施形態では、表示装置１ａが付加情報を生成する構成について説明する。
【００５０】
（表示装置１ａ）
図７は、実施形態２に係る表示装置１ａの要部構成を示すブロック図である。図７に示すように、表示装置１ａは、表示装置１における制御部２０に替えて、制御部２０ａを備えている。制御部２０ａは、付加情報取得部２１に替えて、付加情報生成部２４（生成部）として機能する。
【００５１】
付加情報生成部２４は、付加情報を生成する。付加情報生成部２４が付加情報を生成する処理の詳細について、以下に説明する。
【００５２】
（付加情報を生成する例１）
図８は、実施形態２において付加情報を生成する方法の例を示す図である。図６の（ａ）は、付加情報を生成するための表示映像の一例を示す図であり、（ｂ）は、調整モードを切り替える方法を示す図である。
【００５３】
例えば、表示装置１が外部機器からコンテンツの各チャプタを代表するサムネイルを含む画像を取得した場合、表示装置１は図８の（ａ）に示すような表示映像を表示する。図８の（ａ）に示す表示映像において、付加情報生成部２４は、各チャプタ（チャプタ１〜チャプタ４）のサムネイルのＡＰＬを算出する。そして付加情報生成部２４は、算出したＡＰＬの値に基づき、チャプタ情報を生成する。例えば、図８の（ａ）に示す表示映像において、チャプタ１のサムネイルは、夜空に月がある映像であり、ＡＰＬは所定の値よりも小さい。そのため、付加情報生成部２４は、チャプタ１の付加情報として、ＡＰＬが所定の値（例えば５０％）よりも小さい表示映像が含まれていることを示すチャプタ情報を生成する。また、チャプタ２のサムネイルは風景の映像であり、ＡＰＬは所定の値よりも大きい。そのため、付加情報生成部２４は、チャプタ２の付加情報として、ＡＰＬが所定の値よりも小さい表示映像が含まれていないことを示すチャプタ情報を生成する。同様に、付加情報生成部２４は、チャプタ３の付加情報として、ＡＰＬが所定の値よりも小さい表示映像が含まれていないことを示すチャプタ情報を生成し、チャプタ４の付加情報として、ＡＰＬが所定の値よりも小さい表示映像が含まれていることを示すチャプタ情報を生成する。
【００５４】
付加情報生成部２４がチャプタ情報を生成すると、光量調整部２２は、図８の（ｂ）に示すように、チャプタ情報を参照して調整モードを切り替える。具体的には、チャプタ情報が、ＡＰＬが所定の値よりも小さい表示映像が含まれていることを示す場合、光量調整部２２は、当該チャプタでは調整モードをピーク輝度モードに切り替える。また、チャプタ情報が、ＡＰＬが所定の値よりも小さい表示映像が含まれていないことを示す場合、光量調整部２２は、当該チャプタでは調整モードを面輝度モードに切り替える。
【００５５】
このように、表示装置１ａでは、サムネイルのＡＰＬを算出することによってチャプタ情報を生成する。そのため、表示装置１ａでは、チャプタ情報を取得できない場合であっても、適切な画質の表示映像を表示することができる。
【００５６】
（付加情報を生成する例２）
表示装置１ａは、付加情報が付加されていないコンテンツを表示する場合、タイミング情報を生成しながら表示する。例えば、コンテンツを最初から再生してから１０分後の表示映像が、ＡＰＬが所定の値よりも小さい表示映像であった場合、付加情報生成部２４は、コンテンツを最初から再生して１０分後にＡＰＬが所定の値よりも小さい表示映像が出現することを示すタイミング情報を生成する。そして、表示装置１ａが再び当該コンテンツを再生した場合、付加情報生成部２４が生成したタイミング情報を参照し、光量調整部２２は調整モードを切り替える。
【００５７】
例えば、タイミング情報が、コンテンツを最初から再生してから１０分後にＡＰＬが所定の値よりも小さい表示映像が出現することを示す場合、光量調整部２２は、コンテンツを最初から再生してから１０分後にピーク輝度モードになるように、調整モードを切り替える。上述した方法と同様、光量調整部２２は、ＡＰＬが所定の値よりも小さい表示映像が出現する時間の所定の時間前（例えば、５分前など）から、ピーク輝度モードに切り替えてもよい。
【００５８】
このように、表示装置１ａでは、コンテンツのタイミング情報を生成することにより、次に当該コンテンツを再生したときに、タイミング情報を参照し、調整モードを切り替えることができる。そのため、表示装置１ａでは、タイミング情報が取得できないコンテンツであっても、適切な画質の表示映像を表示することができる。
【００５９】
〔実施形態３〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。本実施形態における表示装置１ｂは、調整モードの切り替え方法を選択させるメニューを表示する。
【００６０】
（メニュー画面の例）
図９は、本実施形態におけるメニュー画面の例を示す図である。
【００６１】
図９に示すメニュー画面には、調整モードをピーク輝度モードに設定する操作を受け付ける項目Ｐ１、調整モードを面輝度モードに設定する操作を受け付ける項目Ｐ２、調整モードをジャンルに応じて切り替える構成に設定する操作を受け付ける項目Ｐ３、および調整モードの切り替えを表示装置１に任せる構成に設定する操作を受け付ける項目Ｐ４と、カーソルＣが含まれている。
【００６２】
例えば、図９に示すメニュー画面において項目Ｐ１が選択された場合、光量調整部２２は、付加情報に関わらず、調整モードをピーク輝度モードに切り替える。また、図９に示すメニュー画面において項目Ｐ２が選択された場合、光量調整部２２は、付加情報に関わらず、調整モードを面輝度モードに切り替える。また、図９に示すメニュー画面において項目Ｐ３が選択された場合、光量調整部２２は、コンテンツのジャンルに応じて調整モードを切り替える。また、図９に示すメニュー画面において項目Ｐ４が選択された場合、光量調整部２２は、付加情報の何れかを参照して調整モードを切り替える。光量調整部２２が何れの付加情報を優先的に参照するのかを、予め設定しておいてもよい。例えば、タイミング情報、チャプタ情報、属性情報の順に優先順位を定め、まず光量調整部２２はタイミング情報を参照し、タイミング情報が取得できなかった場合はチャプタ情報を参照し、さらにチャプタ情報が取得できなかった場合は属性情報を参照する、という構成であってもよい。
【００６３】
なお、メニュー画面に含まれる項目は、図９に示す例に限定されない。例えば、メニュー画面には、何れのジャンルの場合に面輝度モードに切り替えるか、何れのジャンルの場合にピーク輝度モードに切り替えるかを設定させる項目が含まれていてもよいし、何れの付加情報を優先的に参照するのかを、ユーザに設定させる項目が含まれていてもよい。
【００６４】
このように、本実施形態に係る表示装置１ｂでは、調整モードの切り替え方法を選択させるメニューを表示する。そのため、表示装置１ｂは、ユーザが所望する表示映像を表示することができる。
【００６５】
〔実施形態４〕
以下、本発明の他の実施の形態について、図１０〜図１３に基づいて説明する。
【００６６】
まず、本発明の実施形態４における、調整モード切り替えの概要について、図１０および図１１に基づいて説明する。
【００６７】
図１０は、本実施形態における表示映像のＡＰＬの分布の例を示す図である。図１１は、本実施形態における表示装置が調整モードを切り替える方法の例を示す図である。
【００６８】
図１０の（ａ）は、表示映像の全体またはある区間（シーン、チャプタ等）におけるＡＰＬが高い様態を示し、図１０の（ｂ）は、表示映像の全体またはある区間におけるＡＰＬが低い様態を示し、図１０の（ｃ）は、図１０の（ａ）および図１０の（ｂ）におけるＡＰＬの分布が経時的に変化する様態を示す。
【００６９】
光量調整部２２は、表示映像に関する情報として、表示映像の全体、または、表示映像のある区間における、ＡＰＬ（特徴量）の分布を示す情報を参照して、調整モードを切り替える。
【００７０】
具体的には、放送局等に設置された送信装置は、表示映像の全体、または、表示映像のある区間におけるＡＰＬの分布を予め計測し、メタデータを用いて送信する。表示装置１において、付加情報取得部（取得部）２１は、表示映像を表す映像信号のメタデータを取得する。光量調整部２２は、付加情報取得部２１から、メタデータに含まれるＡＰＬの分布を取得する。そして、ＡＰＬが所定の値よりも高い領域に分布する場合、光量調整部２２は、調整モードを面輝度モードに切り替える。一方、ＡＰＬが所定の値よりも低い領域に分布する場合、光量調整部２２は、調整モードをピーク輝度モードに切り替える。
【００７１】
例えば、図１１の（ａ）に示すように、コンテンツにおけるＡＰＬの分布がＤ１の示す分布である場合、光量調整部２２は調整モードを面輝度モードに切り替える。また、図１１の（ｂ）に示すように、コンテンツにおけるＡＰＬの分布がＤ２の示す分布である場合、光量調整部２２は調整モードをピーク輝度モードに切り替える。また、図１１の（ｃ）に示すように、シーンにおけるＡＰＬの分布がＤ１→Ｄ２→Ｄ１の順に変化した場合、光量調整部２２は、調整モードを、面輝度モード→ピーク輝度モード→面輝度モードの順に切り替える。
【００７２】
続いて、上記のメタデータ、および、メタデータに応じた、調整モードの切り替えについて、図１２および図１３に基づいて詳細に説明する。
【００７３】
図１２は、本実施形態における、送受信されるメタデータの例を示す図である。図１３は、本実施形態における、メタデータに応じた、調整モードの切り替えの例を示す図である。
【００７４】
送信装置は、映像信号と、当該映像信号のメタデータとを送信する。送信装置は、メタデータに、少なくとも、映像信号が示す映像における部分区間の始点を示す識別子３、当該部分区間の終点を示す識別子４、および、当該部分区間におけるＡＰＬの平均を示す識別子６を含めたうえで、当該映像信号と、これらの識別子を含むメタデータとを送信する。
【００７５】
光量調整部２２は、メタデータに含まれる識別子であって、少なくとも、表示映像における部分区間の始点を示す識別子３、当該部分区間の終点を示す識別子４、および、当該部分区間におけるＡＰＬの平均を示す識別子６を参照して、ＡＰＬの分布を特定したうえで、調整モードを切り替える。
【００７６】
なお、一例として、シーン、チャプタ等である「ある区間」には、１又は複数の「部分区間」が含まれ得る。また、メタデータには、識別子１〜８を含めるようにしてもよい。以下に、各識別子について説明する。
【００７７】
図１２（ａ）に示すように、識別子１は、表示映像の全体、チャプタ、秒、フレームなどの時間軸の単位を規定する。識別子２は、メタデータに含まれる識別子３、４、５、６、７、および８の組合せの数を示し、光量調整部２２が調整モード切り替えを行う対象の個数になる。識別子３（３−１、３−２、３−３）は、識別子１が規定する単位による、ＡＰＬ分布の範囲の始点を示す。識別子４（４−１、４−２、４−３）は、識別子１が規定する単位による、ＡＰＬ分布の範囲の終点を示す。識別子５は、識別子３、４の組合せが示す範囲の、ＡＰＬのヒストグラムを示す。
【００７８】
図１２（ｂ）に示すように、識別子６は、識別子３、４の組合せが示す範囲におけるＡＰＬの平均値を示す。識別子７は、識別子３、４の組合せが示す範囲におけるＡＰＬの最小値を示す。識別子８は、識別子３、４の組合せが示す範囲におけるＡＰＬの最大値を示す。
【００７９】
メタデータの受信側における処理の例１として、光量調整部２２は、識別子５が示す、ＡＰＬの平均値と、ピークが出現するＡＰＬ５０％との関係を参照して上記ＡＰＬの分布を特定したうえで、調整モードを切り替える。具体的には、図１３（ａ）に示すように、ＡＰＬの平均値が５０％を超えた場合、光量調整部２２は、調整モードを面輝度モードに切り替える。一方、ＡＰＬの平均値が５０％を超えない場合、光量調整部２２は、調整モードをピーク輝度モードに切り替える。
【００８０】
また、メタデータの受信側における処理の例２として、以下の処理を加えてもよい。すなわち、図１３（ｂ）に示すように、識別子３、４の組合せが示す範囲におけるＡＰＬの最小値がＡＰＬ５０％よりも大きい場合（すなわち、当該ＡＰＬがＡＰＬ５０％よりも大きい領域に分布している場合）、光量調整部２２は、調整モードを面輝度モードに切り替える。一方、図１３（ｃ）に示すように、識別子３、４の組合せが示す範囲におけるＡＰＬの最大値がＡＰＬ５０％よりも小さい場合（すなわち、当該ＡＰＬがＡＰＬ５０％よりも小さい領域に分布している場合）、光量調整部２２は、調整モードをピーク輝度モードに切り替える。それ以外の場合には、光量調整部２２は、上記の処理の例１と同様の処理を行う。
【００８１】
〔ソフトウェアによる実現例〕
表示装置１〜１ｂの制御ブロック（特に制御部２０、２０ａ）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、表示装置１〜１ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８３】
〔まとめ〕
本発明の態様１に係る表示装置（１〜１ｂ）は、バックライト（ＬＥＤバックライト３２）を複数のエリアに分割し、各エリアの光量を表示映像に応じて調整する光量調整部（２２）を備え、上記光量調整部は、上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モード（面輝度モード）と、上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モード（ピーク輝度モード）と、を備え、上記表示映像に関する情報を参照して調整モードを切り替える。
【００８４】
上記の構成によれば、表示装置は、高コントラスト化された映像を適切に表示することができる。
【００８５】
本発明の態様２に係る表示装置において、上記態様１における上記表示映像に関する情報とは、上記表示映像の属性を示す情報であってもよい。
【００８６】
上記の構成によれば、表示装置は属性に応じた画質の表示映像を表示することができる。
【００８７】
本発明の態様３に係る表示装置において、上記態様１または２における上記表示映像に関する情報とは、上記表示映像のある区間において、上記特徴量が所定の値以下となる表示映像が含まれているか否かを示す情報であってもよい。
【００８８】
上記の構成によれば、表示装置は、１つのコンテンツ内においても、適切なタイミングで高コントラスト化された表示映像を表示することができる。
【００８９】
本発明の態様４に係る表示装置において、上記態様１〜３の何れかにおける上記表示映像に関する情報とは、上記特徴量が所定の値となる表示映像が出現するタイミングを事前に示す情報であってもよい。
【００９０】
上記の構成によれば、表示装置は高コントラスト化された映像をより適切なタイミングで表示することができる。
【００９１】
本発明の態様５に係る表示装置は、上記態様１〜４の何れかにおいて、上記表示映像に関する情報とは、上記表示映像の全体における、上記特徴量の分布を示す情報であってもよい。
【００９２】
上記の構成によれば、表示装置は高コントラスト化された映像をより適切に表示することができる。
【００９３】
本発明の態様６に係る表示装置は、上記態様１〜４の何れかにおいて、上記表示映像に関する情報とは、上記表示映像のある区間における、上記特徴量の分布を示す情報であってもよい。
【００９４】
上記の構成によれば、表示装置は高コントラスト化された映像をさらに適切に表示することができる。
【００９５】
本発明の態様７に係る表示装置は、上記態様５または６において、上記表示映像を表す映像信号のメタデータを取得する取得部（付加情報取得部１１）をさらに備え、上記光量調整部は、上記メタデータに含まれる識別子であって、上記表示映像における部分区間の始点を示す識別子、上記部分区間の終点を示す識別子、および上記部分区間における上記特徴量の平均を示す識別子、を参照して上記特徴量の分布を特定したうえで、調整モードを切り替えてもよい。
【００９６】
上記の構成によれば、メタデータに含まれる識別子を適切に利用することができる。
【００９７】
本発明の態様８に係る表示装置は、上記態様１〜４の何れかにおいて、上記表示映像に関する情報を生成する生成部（付加情報生成部２４）をさらに備えてもよい。
【００９８】
上記の構成によれば、表示装置は付加情報を外部から取得できない場合であっても、高コントラスト化された映像をより適切なタイミングで表示することができる。
【００９９】
本発明の態様９に係る表示装置において、上記態様８における生成部は、上記表示映像の特徴量を算出することにより、上記表示映像に関する情報を生成してもよい。
【０１００】
上記の構成によれば、表示装置は付加情報を外部から取得できない場合であっても、高コントラスト化された映像をより適切なタイミングで表示することができる。
【０１０１】
本発明の態様１０に係る表示装置は、上記態様１〜９の何れかにおいて、上記調整モードの切り替え方法を選択させるメニューを表示してもよい。
【０１０２】
上記の構成によれば、表示装置はユーザが所望する表示映像を表示することができる。
【０１０３】
本発明の態様１１に係る表示装置は、上記態様１〜１０の何れかにおいて、上記特徴量は、上記表示映像のＡＰＬ（Average Picture Level）であってもよい。
【０１０４】
上記の構成によれば、表示装置は、ＡＰＬが低い表示映像では高コントラスト化された映像を表示することができるので、高コントラスト化された映像を適切に表示することができる。
【０１０５】
本発明の態様１４に係るテレビジョン受像機（２）は、上記態様１〜１１の何れかにおける表示装置を含む。
【０１０６】
上記の構成によれば、上記態様１〜１１の表示装置と同様の効果を奏する。
【０１０７】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置のプログラム、およびそれを記録したコンピュータ読み取り可能な記録媒体も、本発明の範疇に入る。
【０１０８】
本発明の態様１５に係る送信装置は、映像信号と、当該映像信号のメタデータとを送信する送信装置であって、上記メタデータに、上記映像信号が示す映像における部分区間の始点を示す識別子、上記部分区間の終点を示す識別子、および上記部分区間における特徴量の平均を示す識別子、を含めたうえで送信する。
【０１０９】
上記の構成によれば、メタデータに含まれる識別子を適切に利用することができる。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１１】
１、１ａ、１ｂ  表示装置
２０、２０ａ    制御部
２１            付加情報取得部（取得部）
２２            光量調整部
２３            表示制御部
２４            付加情報生成部（生成部）
３０            表示部
３１            液晶パネル
３２            ＬＥＤバックライト
【図１】
2018041067.tif 000003
【図２】
2018041067.tif 000004
【図３】
2018041067.tif 000005
【図４】
2018041067.tif 000006
【図５】
2018041067.tif 000007
【図６】
2018041067.tif 000008
【図７】
2018041067.tif 000009
【図８】
2018041067.tif 000010
【図９】
2018041067.tif 000011
【図１０】
2018041067.tif 000012
【図１１】
2018041067.tif 000013
【図１２】
2018041067.tif 000014
【図１３】
2018041067.tif 000015
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報とは、上記表示映像のある区間において、上記特徴量が所定の値以下となる表示映像が含まれているか否かを示す情報である
ことを特徴とする表示装置。
【請求項２】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報とは、上記特徴量が所定の値となる表示映像が出現するタイミングを事前に示す情報である
ことを特徴とする表示装置。
【請求項３】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報とは、上記表示映像の全体における、上記特徴量の分布を示す情報である
ことを特徴とする表示装置。
【請求項４】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報とは、上記表示映像のある区間における、上記特徴量の分布を示す情報である
ことを特徴とする表示装置。
【請求項５】
上記表示映像を表す映像信号のメタデータを取得する取得部をさらに備え、
上記光量調整部は、上記メタデータに含まれる識別子であって、
上記表示映像における部分区間の始点を示す識別子、
上記部分区間の終点を示す識別子、および
上記部分区間における上記特徴量の平均を示す識別子、
を参照して上記特徴量の分布を特定したうえで、調整モードを切り替える請求項３又は４に記載の表示装置。
【請求項６】
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報を生成する生成部をさらに備える
ことを特徴とする表示装置。
【請求項７】
上記生成部は、上記表示映像の特徴量を算出することにより、上記表示映像に関する情報を生成することを特徴とする請求項６に記載の表示装置。
【請求項８】
上記調整モードの切り替え方法を選択させるメニューを表示することを特徴とする請求項１〜７の何れか１項に記載の表示装置。
【請求項９】
上記特徴量は、上記表示映像のＡＰＬ（Average Picture Level）であることを特徴と
する請求項１〜８の何れか１項に記載の表示装置。
【請求項１０】
請求項１に記載の表示装置としてコンピュータを機能させるためのプログラムであって、上記光量調整部としてコンピュータを機能させるためのプログラム。
【請求項１１】
請求項１０に記載のプログラムを記録したコンピュータ読み取り可能な記録媒体。
【請求項１２】
請求項１〜９の何れか１項に記載の表示装置を含むことを特徴とするテレビジョン受像機。
【請求項１３】
映像信号と、当該映像信号のメタデータとを送信する送信装置と、
表示装置と、
を備え、
上記送信装置は、
上記メタデータに、
上記映像信号が示す映像における部分区間の始点を示す識別子、
上記部分区間の終点を示す識別子、および
上記部分区間における特徴量の平均を示す識別子、
を含めたうえで上記表示装置に送信し、
上記表示装置は、
バックライトを複数のエリアに分割し、各エリアの光量を表示映像に応じて調整する光量調整部を備え、
上記光量調整部は、
上記バックライトの消費電力値を一定に近付けるために、上記表示映像の特徴量であって、上記バックライトの消費電力値に相関する特徴量が所定の値よりも大きい場合の上記バックライトの最大発光輝度を、上記特徴量が所定の値よりも小さい場合の上記バックライトの最大発光輝度よりも小さく設定する第１の調整モードと、
上記特徴量が所定の値よりも小さい場合は、上記バックライトの最大発光輝度を上記第１の調整モードより高くし、上記特徴量が上記所定の値よりも大きい場合は、上記バックライトの最大発光輝度を上記第１の調整モードより低くする第２の調整モードと、を備え、
上記表示映像に関する情報を参照して調整モードを切り替え、
上記表示映像に関する情報とは、上記表示映像のある区間における、上記特徴量の分布を示す情報であり、
上記表示装置は、上記表示映像を表す映像信号のメタデータを取得する取得部をさらに備え、
上記光量調整部は、上記メタデータに含まれる識別子であって、
上記表示映像における部分区間の始点を示す識別子、
上記部分区間の終点を示す識別子、および
上記部分区間における上記特徴量の平均を示す識別子、
を参照して上記特徴量の分布を特定したうえで、調整モードを切り替える
ことを特徴とする表示システム。